【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
所定の提供元が提供する複数のコンテンツを取得し、再生するコンテンツ再生装置であって、
前記所定の提供元が提供する前記複数のコンテンツ相互の順序を定めるリストを準備するためのリスト準備手段と、
前記複数のコンテンツを、所定の取得順序に従い取得し保持するための取得手段と、
前記取得手段が取得し保持した前記複数のコンテンツを、前記リストが定める順序に従い切替えて再生するための再生手段と、
前記再生手段により再生されるコンテンツが切替わったことに応答して、前記再生手段により再生中のコンテンツの前記リストにおける順序と、前記複数のコンテンツの前記リストにおける順序との関係に基づき、前記複数のコンテンツの前記取得順序を計画するための計画手段とを含む、コンテンツ再生装置。
【請求項２】
前記計画手段は、前記再生手段により再生されるコンテンツが切替わったことに応答して、前記再生手段により再生中のコンテンツの前記リストにおける順序との差が小さなコンテンツから順に取得されるよう、前記複数のコンテンツの前記取得順序を計画するための手段を含む、請求項１に記載のコンテンツ再生装置。
【請求項３】
前記計画手段は、
前記複数のコンテンツについてそれぞれ、再生を開始するために取得しておく最低取得データと、当該コンテンツを再生するために前記最低取得データに追加して取得する追加取得データとを特定するためのデータ特定手段と、
前記再生手段により再生されるコンテンツが切替わったことに応答して、当該再生手段により再生中のコンテンツの前記リストにおける順序と、前記複数のコンテンツの前記リストにおける順序との関係に基づき、前記最低取得データ及び追加取得データをそれぞれ別の順序で取得するよう、前記複数のコンテンツの前記取得順序を決定するための２段階計画手段を含み、
前記取得手段は、前記２段階計画手段が決定した取得順序に従い、前記複数のコンテンツの前記最低取得データ及び追加取得データをそれぞれ別の順序で取得するための２段階取得手段を含む、請求項１に記載のコンテンツ再生装置。
【請求項４】
前記データ特定手段は、
前記複数のコンテンツについてそれぞれ、当該コンテンツの形式を判別するための手段と、
前記判別するための手段により判別されたコンテンツの形式に応じて、当該コンテンツの最低取得データと前記追加取得データとを特定するための手段とを含む、請求項３に記載のコンテンツ再生装置。
【請求項５】
前記計画手段は、前記複数のコンテンツについてそれぞれ、前記最低取得データのデータ量と、前記追加取得データのデータ量とを、前記判別するための手段により判別されたコンテンツの形式に基づいて決定するための手段をさらに含む、請求項４に記載のコンテンツ再生装置。
【請求項６】
前記再生手段により再生中のコンテンツの前記リストにおける順序と、前記複数のコンテンツの前記リストにおける順序との関係に基づき、前記複数のコンテンツについて、当該コンテンツを表現するデータのうち当該コンテンツについて取得すべきデータの量を決定するためのデータ量決定手段をさらに含み、
前記取得手段は、
前記複数のコンテンツを、所定の取得順序に従い、前記データ量決定手段により決定されたデータ量分、取得し保持するための手段を含む、請求項１に記載のコンテンツ再生装置。
【請求項７】
前記データ量決定手段は、前記再生手段により再生中のコンテンツの前記リストにおける順序との差が小さなコンテンツが多く取得されるよう、複数のコンテンツについて取得すべきデータの量をそれぞれ決定するための手段を含む、請求項６に記載のコンテンツ再生装置。
【請求項８】
前記再生手段により再生中のコンテンツについて、前記データ量決定手段が決定したデータ量と、当該再生中のコンテンツについて前記取得手段が取得し保持しているデータ量とを示す情報を生成し表示するための手段をさらに含む、請求項６に記載のコンテンツ再生装置。
【請求項９】
前記再生手段は、
予め定める条件が充足されたことに応答して、前記リストに基づき、切替えて再生すべきコンテンツを特定するための切替コンテンツ特定手段と、
再生するコンテンツを、再生中のコンテンツから前記切替コンテンツ特定手段が特定したコンテンツに切替えて再生するための切替再生手段とを含む、請求項１に記載のコンテンツ再生装置。
【請求項１０】
前記切替コンテンツ特定手段は、前記再生手段により前記コンテンツの再生が終了したことに応答して、前記リストにより当該再生が終了したコンテンツの次の順序に定められたコンテンツを、切替えて再生すべきコンテンツとして特定するための手段を含む、請求項９に記載のコンテンツ再生装置。
【請求項１１】
さらに、前記リストにより順序が定められたコンテンツの一つを、ユーザによる操作に従い選択するためのコンテンツ選択手段を含み、
前記切替コンテンツ特定手段は、前記コンテンツ選択手段により選択されたコンテンツを、切替えて再生すべきコンテンツとして特定するための手段を含む、請求項９に記載のコンテンツ再生装置。
【請求項１２】
前記コンテンツ選択手段によるコンテンツの選択の頻度を計測するための頻度計測手段と、
前記頻度計測手段により計測される頻度が所定の値に到達したことに応答して、前記特定するための手段によるコンテンツの特定の開始を、所定の時間保留させるための手段をさらに含む、請求項１１に記載のコンテンツ再生装置。
【請求項１３】
前記リストは、前記複数のコンテンツ相互の順序を定める情報と、前記複数のコンテンツの各々についての概要を示す概要情報とを含み、
前記保留させるための手段は、前記頻度計測手段により計測される頻度が所定の値に到達したことに応答して、前記特定するための手段によるコンテンツの特定の開始を所定の時間保留させ、前記コンテンツ選択手段により選択されたコンテンツについての前記概要情報を表示するための手段を含む、請求項１２に記載のコンテンツ再生装置。
【請求項１４】
前記表示するための手段は、前記頻度計測手段により計測される頻度が所定の値に到達したことに応答して、前記特定するための手段によるコンテンツの特定の開始を所定の時間保留させ、前記コンテンツ選択手段により選択されたコンテンツについての前記概要情報と、前記リストにおいて、前記コンテンツ選択手段により選択された前記コンテンツとの間の順序の差が一定の値より小さなコンテンツについての前記概要情報とを表示するための手段を含む、請求項１３に記載のコンテンツ再生装置。
【請求項１５】
前記リストは複数存在し、当該複数のリストはそれぞれ、所定のチャンネルに対応し、前記チャンネルは相互に順序関係を有し、前記リスト準備手段は、前記複数のリストを取得して、当該リストが対応する前記チャンネルの順序関係に従って保持するためのチャンネル順リスト保持手段を含み、
前記コンテンツ再生装置はさらに、ユーザによる操作に従い、チャンネルを選択するためのチャンネル選択手段を含み、
前記切替コンテンツ特定手段は、前記チャンネル選択手段によるチャンネルの選択に応答して、当該選択されたチャンネルに対応して前記チャンネル順リスト保持手段に保持されたリストに基づき、切替えて再生すべきコンテンツを特定するための手段を含む、請求項９に記載のコンテンツ再生装置。
【請求項１６】
前記計画手段は、前記特定するための手段が特定したコンテンツの前記リストにおける順序及び当該リストに対応するチャンネルの順序関係に基づき、前記取得順序を決定するための手段を含む、請求項１５に記載のコンテンツ再生装置。
【請求項１７】
前記決定するための手段は、前記再生手段により再生中のコンテンツとの間に前記リストにおける順序の差異が少なく、かつ当該リストに対応するチャンネルとの間の前記順序関係の差異が少ないリストに含まれるコンテンツから順に取得されるよう、前記取得順序を決定するための近接チャンネル順優先取得計画手段を含む、請求項１６に記載のコンテンツ再生装置。
【請求項１８】
前記再生手段は、さらに、
前記切替コンテンツ特定手段が特定したコンテンツの前記取得手段による取得及び保持が完了しているか否かを判定するための判定手段を含み、
切替再生手段は、前記判定手段による判定結果に応じて、再生するコンテンツを、再生中のコンテンツから前記切替コンテンツ特定手段が特定したコンテンツに切替えて再生する動作と、前記再生中のコンテンツの再生出力に所定の時間遷移効果を適用した後に、再生するコンテンツを、当該再生中のコンテンツから前記切替コンテンツ特定手段が特定したコンテンツに切替えて再生する動作とを選択的に実行するための選択的切替再生手段とを含む、請求項９に記載のコンテンツ再生装置。
【請求項１９】
前記再生手段はさらに、前記判定手段により、前記取得手段による取得及び保持が完了していないと判定されたことに応答して、前記切替えて再生すべきコンテンツの取得に要する時間の予測値を算出するための手段を含み、
前記選択的切替再生手段は、前記判定手段による判定結果に応じて、再生中のコンテンツから前記切替コンテンツ特定手段が特定したコンテンツに再生するコンテンツを切替えて再生する動作と、前記再生中のコンテンツの再生出力に、前記算出するための手段が算出した前記予測値に示される時間遷移効果を適用した後に、再生中のコンテンツから前記切替コンテンツ特定手段が特定したコンテンツに再生するコンテンツを切替えて再生する動作とを選択的に実行するための手段を含む、請求項１８に記載のコンテンツ再生装置。
【請求項２０】
前記リストは、前記複数のコンテンツ相互の順序を定める情報と、前記複数のコンテンツの各々についての概要を示す概要情報とを含み、
前記再生手段はさらに、切替コンテンツ特定手段が切替えて表示すべきコンテンツを特定したことに応答して、当該コンテンツについての前記概要情報を表示するための手段をさらに含む、請求項９に記載のコンテンツ再生装置。
【請求項２１】
前記リストは、前記複数のコンテンツ相互の順序を定める情報と、前記複数のコンテンツのうち少なくとも１つに関する付加的な情報とを含み、
前記計画手段は、前記再生手段により再生されるコンテンツが切替わったことに応答して、前記再生手段により再生中のコンテンツの前記リストにおける順序と前記複数のコンテンツの前記リストにおける順序との関係、及び前記付加的な情報に基づき、前記複数のコンテンツの前記取得順序を計画するための手段を含む、請求項１に記載のコンテンツ再生装置。
【請求項２２】
前記付加的な情報は、前記複数のコンテンツのうち少なくとも１つについてのユーザの好悪を示す情報を含む、請求項２１に記載のコンテンツ再生装置。